(57)【要約】      （修正有）【課題】空気注入バルブの位置を簡単に探し出すことができ、ボールのバランス性を向上する２つのバルブを有するボールの構造を提供する。【解決手段】２枚のボール材料が組み合わされて成型される中空のボールであって、各ボール材料の所定位置には、バルブ２１，２２が予め結合され、バルブ２１，２２は、スリット有り孔２３，２４又はスリット無し孔を有し、ボール材料が結合されたボールとしてバルブ２１，２２が対向位置に配置される。ボール２０に空気を注入する際にバルブ２１，２２を簡単に探し出して空気注入具を挿入することができ、バルブ２１，２２が対向位置にあるためボール２０のバランス性が向上する。【選択図】図８
0003198837.tif 000002
【実用新案登録請求の範囲】
【請求項１】
空気注入バルブを有するボールの構造であって、
前記ボールの内部の少なくとも２つの異なる位置に、該空気注入バルブがそれぞれ装着され、前記２つのバルブの何れかに空気注入具を挿入して空気注入作業を行うことができるようにしたことを特徴とする２つのバルブを有するボールの構造。
【請求項２】
前記２つのバルブは、前記ボール内部の２つの対向位置に設置されることを特徴とする請求項１に記載の２つのバルブを有するボールの構造。
【請求項３】
前記前記２つのバルブの中心には、スリット有り孔が設けられることを特徴とする請求項１に記載の２つのバルブを有するボールの構造。
【請求項４】
前記２つのバルブには、スリット無し孔が設けられることを特徴とする請求項１に記載の２つのバルブを有するボールの構造。
【請求項５】
前記ボールは、少なくとも２枚のボール材料が組み合わされて成型され、前記２つのバルブは、前記２枚のボール材料の内周面の所定位置にそれぞれ設けられることを特徴とする請求項１に記載の２つのバルブを有するボールの構造。
【請求項６】
前記ボールは、少なくとも２枚のボール材料が組み合わされて成型され、前記２つのバルブは、前記２枚のボール材料がボール形状に成型されると対向する位置となる内周面の所定位置に設けられることを特徴とする請求項１に記載の２つのバルブを有するボールの構造。
【請求項７】
前記ボールは、ソフトテニスボールであることを特徴とする請求項１に記載の２つのバルブを有するボールの構造。
【請求項８】
前記ボールは、各種の空気を注入するボールであることを特徴とする請求項１に記載の２つのバルブを有するボールの構造。
【考案の詳細な説明】
【技術分野】
【０００１】
本考案は、２つのバルブを有するボールの構造に関し、特に、ボールの２つの対向位置にバルブを有することにより、ボールに空気を注入する際、バルブの位置を迅速に探し出すことができる上、ボールのバランス性を高めることができるソフトテニスボール及び他の類似する空気を注入するボールの構造に関する。
【背景技術】
【０００２】
図１〜図４を参照する。従来のソフトテニスボールなどの空気を注入するボール１は、製造する際、少なくとも２枚のボール材料が組み合わされて成型される。また、ボール材料の一方の端部の所定位置には、バルブ２が設けられる。ボール１に空気を注入する際、針式空気注入具１０がバルブ２のスリット有り孔３から挿入される。ボール材料のバルブ２に対向する他方の端部には、バルブ２が設けられないため、バランス性を高めるために、ボール材料の厚さを増加させる必要がある。
また、空気入れ又はポンプを用いてバルブ２からボール１内部に空気が注入され、ボール１が球体形状を維持する。
【０００３】
バルブ２の構造は、スリット有り孔３又はスリット無し孔４の２種類に分類される。スリット有り孔３のバルブ２には、針式空気注入具１０が挿入されるスリットが設けられ、針式空気注入具１０が挿入されていない場合、スリット有り孔３の内端が閉合状態であるため、内部の空気が外部に漏れない。また、スリット有り孔３により、針式空気注入具１０を挿入することができるほか、セーフティバルブ式空気注入具１１を挿入して空気を注入することができる。スリット無し孔４のバルブ２は、スリットがないため、針式空気注入具１０を挿入して空気を注入することしかできない。
【０００４】
スリット有り孔であれ、スリット無し孔であれ、従来のボールには、１つのバルブしか設けられないため、ユーザがボールに空気を注入する際、ボールを何度も回転させなければ、バルブをスムーズに探し出すことができない。このため、時間が浪費されてしまう。また、バルブが１つしかないため、バルブに対向する位置のボール材料を厚くしてバランスを保持するが、ボール全体のバランス性が影響を受けるため、改善が求められていた。
【０００５】
従来のソフトテニスボールなどのボールにバルブが１つしか設けられないことにより、ボール全体のバランス性が影響を受けたり、空気を注入する際の利便性が影響を受けることに鑑み、本考案の考案者は、研究開発を行い、本考案の２つのバルブを有するボールの構造を案出した。
【先行技術文献】
【特許文献】
【０００６】
【特許文献１】特開２００４−２０１７３３号公報
【特許文献２】登録実用新案３１５４７１４号公報
【考案の概要】
【考案が解決しようとする課題】
【０００７】
本考案の目的は、バルブの位置を簡単に探し出すことができる上、ボールのバランス性を高めることができる２つのバルブを有するボールの構造を提供することにある。
【課題を解決するための手段】
【０００８】
上述の課題を解決するために、本考案の２つのバルブを有するボールの構造は、２つのバルブがボールの対向する２つの異なる位置に設けられる。これにより、ボールに空気を注入する際、ボールを僅かに回転させるだけで、バルブを簡単に探し出すことができる。また、２つのバルブが対向設置されるため、ボールのバランス性を有効に改善することができる。
【考案の効果】
【０００９】
本考案の２つのバルブを有するボールの構造により、製造コスト及び重量を増加させることなく、ボールに空気を注入する際にバルブを迅速に探し出し、空気を注入する作業を完了することができるボールを構成することができる。また、ボールが２つのバルブを有することにより、ボール全体のバランス性を高めることができる。
【図面の簡単な説明】
【００１０】
【図１】従来のソフトテニスボールの構造を示す斜視図である。
【図２】従来のスリット有り孔のバルブを１つ有し、バルブの対向位置のボール材料の厚さが増大されたソフトテニスボールに針式空気注入具を挿入する状態を示す断面図である。
【図３】従来のスリット無し孔のバルブを１つ有し、バルブの対向位置のボール材料の厚さが増大されたソフトテニスボールに針式空気注入具を挿入する状態を示す断面図である。
【図４】従来のスリット有り孔のバルブを１つ有し、バルブの対向位置のボール材料の厚さが増大されたソフトテニスボールにセーフティバルブ式空気注入具を挿入する状態を示す断面図である。
【図５】本考案の第１実施形態による２つのバルブを有するボールの構造を示す斜視図である。
【図６】本考案の第１実施形態による２つのバルブを有するボールの構造に針式空気注入具を挿入する状態を示す断面図である。
【図７】本考案の第２実施形態による２つのバルブを有するボールの構造に針式空気注入具を挿入する状態を示す断面図である。
【図８】本考案の第１実施形態による２つのバルブを有するボールの構造にセーフティバルブ式空気注入具を挿入する状態を示す断面図である。
【図９】本考案を硬式テニスボールに実施した状態を示す斜視図である。
【図１０】本考案をバレーボールに実施した状態を示す斜視図である。
【図１１】本考案をバスケットボールに実施した状態を示す斜視図である。
【考案を実施するための形態】
【００１１】
本考案の目的、特徴及び効果を示す実施形態を図面に沿って詳細に説明する。
【００１２】
（第１実施形態）
図５、図６及び図８を参照する。図５、図６及び図８に示すように、本考案の第１実施形態として、ソフトテニスボールを例示して説明する。図５、図６及び図８に示すように、ソフトテニスボールであるボール２０は、少なくとも２枚のボール材料が結合されて成型される。ボール材料は、半円形態又は８字形態に形成してもよい（本考案の目的及び対象ではないため、ここでは説明しない）。本考案のボール２０の空気注入作業の利便性を高め、バランス性を改善するため、２枚のボール材料の内縁の所定部位には、別に製造されたバルブ２１，２２が予め結合される。バルブ２１，２２の外端は、ボール材料の表面に明らかに露出するため、ユーザに認識されやすい。バルブ２１，２２は、ゴム材料から製造される。バルブ２１，２２の中心には、スリット有り孔２３，２４が設けられる。スリット有り孔２３，２４の内端は、密着した状態であるため、針式空気注入具１０及びセーフティバルブ式空気注入具１１をスムーズに挿入させることができる。また、ボール材料がボール形状に結合されると、バルブ２１，２２が対向位置となる。以上の構造によって本考案の第１実施形態による２つのバルブを有するボールの構造が構成される。
【００１３】
上述の構造から分かるように、１つのボール２０の内部に２つのバルブ２１，２２が設けられ、２つのバルブ２１，２２が互いに対向する位置に設けられるため、ユーザがボール２０に空気を注入する際、ボール２０を僅かに回転させるだけで、従来の１つのバルブを有するボールよりバルブ２１又はバルブ２２の何れかを迅速に探し出し、針式空気注入具１０又はセーフティバルブ式空気注入具１１をバルブ２１又はバルブ２２のスリット有り孔２３又はスリット有り孔２４に挿入し、空気注入作業を行うことができる。このため、空気注入作業の利便性を高めることができる。また、バルブ２１，２２の重量が重くない上、対向設置されるため、ボール２０全体のバランス性を高めることができる。
【００１４】
（第２実施形態）
図７、図９〜図１１を参照する。図７、図９〜図１１は、本考案の第２実施形態を示すものであり、ボール３０は、前述のソフトテニスボールのほか、他の空気を注入する必要があるボール（例えば、硬式テニスボール（図９参照）、バレーボール（図１０参照）、バスケットボール（図１１参照）、軟式野球ボール、ソフトボール、サッカーボールなど）に応用することができる。ボール３０を製造する際、少なくとも２枚のボール材料が組み合わされて成型され、各ボール材料の内縁の所定位置には、ゴム又は類似する材料から製造されるバルブ３１，３２が結合され、ボール３０が成型されると、２つのバルブ３１，３２が対向する位置に設けられる。バルブ３１，３２は、ボール３０の用途からスリット無し孔の構造を選択することができる。スリット無し孔の場合、針式空気注入具１０しかスリット無し孔のバルブ３１，３２に挿入することしかできない。即ち、本考案の第２実施形態においても、２つのバルブ３１，３２の位置関係により、空気注入作業を行う際、バルブ３１又はバルブ３２の位置を迅速に探し出すことができ、針式空気注入具１０を挿入して空気注入作業をスムーズに完了することができる。また、ボール３０全体のバランス性においても良好なバランス性を実現することができ、従来の１つのバルブしか有さないボールの問題及び欠点を改善することができる。
【００１５】
以上の説明から分かるように、本考案は、ボールの製造作業方式を変更したり、製造コストが増加したりすることなく、ボール内部に２つのバルブを設置することができる。これにより、空気を注入する際、ボールを僅かに回転させるだけでバルブの位置を探し出すことができるため、空気注入作業の利便性を高めることができる。また、ボール全体のバランス性を高めることができ、従来の１つのバルブしか有さないボールと比較して、優れた実用性を有する。
【符号の説明】
【００１６】
１  ボール
２  バルブ
３  スリット有り孔
４  スリット無し孔
１０  針式空気注入具
１１  セーフティバルブ式空気注入具
２０  ボール
２１  バルブ
２２  バルブ
２３  スリット有り孔
２４  スリット有り孔
３０  ボール
３１  バルブ
３２  バルブ
【図１】
0003198837.tif 000003
【図２】
0003198837.tif 000004
【図３】
0003198837.tif 000005
【図４】
0003198837.tif 000006
【図５】
0003198837.tif 000007
【図６】
0003198837.tif 000008
【図７】
0003198837.tif 000009
【図８】
0003198837.tif 000010
【図９】
0003198837.tif 000011
【図１０】
0003198837.tif 000012
【図１１】
0003198837.tif 000013